(57)【要約】【課題】ＨＡＣ性能を向上できる電子機器を提供する。【解決手段】電子機器は筐体と音声出力部とアンテナとを備える。筐体にはスピーカ穴が形成される。音声出力部はスピーカ穴から音声を出力する。アンテナはアンテナ素子とグランドプレーンと延長素子とを備える。グランドプレーンは給電部を介してアンテナ素子に接続される。延長素子は、グランドプレーンに接続される導電性の部材であり、アンテナが発生させる電界強度のピークをスピーカ穴から遠ざける。【選択図】図３
2017085334.tif 000002
【特許請求の範囲】
【請求項１】
電子機器であって、
スピーカ穴が形成される筐体と、
前記スピーカ穴から音声を出力する音声出力部と、
アンテナと
を備え、
前記アンテナは
アンテナ素子と、
給電部を介して前記アンテナ素子に接続されるグランドプレーンと、
前記グランドプレーンに接続される導電性の部材であり、前記アンテナが発生させる電界強度のピークを前記スピーカ穴から遠ざける延長素子と
を備える、電子機器。
【請求項２】
請求項１に記載の電子機器であって、
前記ピークは前記スピーカ穴よりも前記延長素子に近い、電子機器。
【請求項３】
請求項１または請求項２に記載の電子機器であって、
前記アンテナ素子と前記延長素子とは、前記グランドプレーンに対して互いに反対側から、それぞれ前記グランドプレーンに接続し、
前記グランドプレーンの長さと前記延長素子の長さの合計は、前記アンテナが送受信する電波の波長の１／２倍以上、かつ、３／５倍以下である、電子機器。
【請求項４】
請求項１から請求項３のいずれか一つに記載の電子機器であって、
前記アンテナ素子と前記延長素子とは、第１方向において、前記グランドプレーンの中心に対して互いに反対側、かつ、前記第１方向に垂直な第２方向において、前記中心に対して同じ側において、それぞれグランドプレーンに接続する、電子機器。
【発明の詳細な説明】
【技術分野】
【０００１】
本発明は、電子機器に関する。
【背景技術】
【０００２】
携帯電話機には、通話相手と通信するためのアンテナが設けられている。また携帯電話機には、通話相手からの音声を出力するレシーバが設けられ、携帯電話機器の筐体には、レシーバに対応してスピーカ穴が設けられている。ユーザは、スピーカ穴に耳を近づけた姿勢で携帯電話機器を把持して、通話相手からの音声を聞き取る。
【０００３】
従来の技術を示す文献として特許文献１を掲示する。
【先行技術文献】
【特許文献】
【０００４】
【特許文献１】特開２００３−２０９４１９号公報
【発明の概要】
【発明が解決しようとする課題】
【０００５】
アンテナの電界強度のピークがスピーカ穴に近いと、ＨＡＣ(Hearing Aid Compatibility)試験の評価値（以下、ＨＡＣ性能と呼ぶ）が劣化する。なおＨＡＣ試験とは、アンテナから発生する電磁放射の、補聴器への影響を測定する試験である。ＨＡＣ性能が高いほど補聴器への影響は軽微である。
【０００６】
そこで本発明は、ＨＡＣ性能を向上できる電子機器を提供することを目的とする。
【課題を解決するための手段】
【０００７】
電子機器が開示される。一実施の形態では、電子機器は筐体と音声出力部とアンテナとを備える。筐体にはスピーカ穴が形成される。音声出力部はスピーカ穴から音声を出力する。アンテナはアンテナ素子とグランドプレーンと延長素子とを備える。グランドプレーンは給電部を介してアンテナ素子に接続される。延長素子は、グランドプレーンに接続される導電性の部材であり、アンテナが発生させる電界強度のピークをスピーカ穴から遠ざける。
【発明の効果】
【０００８】
本電子機器によれば、ＨＡＣ性能を向上することができる。
【図面の簡単な説明】
【０００９】
【図１】電子機器の概観の一例を示す前面図である。
【図２】電子機器の電気的な構成の一例を概略的に示す図である。
【図３】アンテナの構成の一例を概略的に示す図である。
【図４】アンテナにおける電界強度の一例を示す図である。
【図５】アンテナにおける電界強度の一例を示す図である。
【図６】アンテナの構成の一例を概略的に示す図である。
【発明を実施するための形態】
【００１０】
＜電子機器＞
＜外観＞
図１は、電子機器１の一例を概略的に示す図である。図１では、前面側から見た電子機器１の概観が示されている。電子機器１は、例えばタブレット、ＰＤＡ(Personal Digital Assistant)、携帯電話機（スマートフォンを含む）などである。
【００１１】
電子機器１は筐体２を有しており、この筐体２は例えば略長方形状の板状形状を有している。筐体２は複数の部品で構成されてもよい。例えば筐体２は、カバーパネル２ａと、バックケース２ｂとによって構成されてもよい。カバーパネル２ａは例えば電子機器１の前面部分の少なくとも一部を構成する。バックケース２ｂは、前面部分のうちカバーパネル２ａ以外の部分と、電子機器１の側面部分と背面部分とを構成する。カバーパネル２ａは例えば透明の部材で形成され、バックケース２ｂは例えば樹脂で形成される。図１の例示では、このカバーパネル２ａにおいて、表示領域３０ａが設けられている。この表示領域３０ａには、文字、記号、図形または画像等の各種情報が表示される。この表示領域３０ａは例えば平面視で長方形を成している。
【００１２】
図１の例示では、筐体２の前面には、例えば複数の操作キー５が設けられている。複数の操作キー５はハードウェアキーであって、例えば電子機器１の下側端部に設けられている。具体的な一例として、操作キー５は表示領域３０ａよりも下方に設けられている。ユーザは各操作キー５を押下することによって、電子機器１へと種々の入力を行うことができる。
【００１３】
図１に示すように、筐体２には、スピーカ穴４２ａが形成されている。スピーカ穴４２ａは例えば電子機器１の上側端部において短手方向の略中央に設けられている。図１の例示では、スピーカ穴４２ａは表示領域３０ａよりも上方に設けられている。また図１では、スピーカ穴４２ａは、例えば、電子機器１の短手方向に長い長尺状の形状を有している。電子機器１は、このスピーカ穴４２ａから音声を出力することができる。
【００１４】
図１の例示では、電子機器１には、マイク穴４６ａが設けられている。マイク穴４６ａは例えば電子機器１の下側端部において短手方向の略中央に設けられている。図１の例示では、マイク穴４６ａは操作キー５よりも下方に設けられている。また図１では、マイク穴４６ａは、例えば、略円形状を有している。電子機器１は、このマイク穴４６ａを介して外部の音声を取り込むことができる。
【００１５】
＜電気的構成＞
図２は電子機器１の電気的構成の一例を示すブロック図である。図２に例示される電子機器１は、例えば、制御部１０、無線通信部２０、表示部３０、第１音声出力部（ここではレシーバ）４２、第２音声出力部（ここではスピーカ）４４、音声入力部（ここではマイク）４６、キー操作部５０および撮像部６０を備えている。これらの構成要素は、筐体２の内部に収納されている。
【００１６】
制御部１０は、例えばＣＰＵ（Central Processing Unit）１０１、ＤＳＰ（Digital Signal Processor）１０２及び記憶部１０３等を備えており、電子機器１の他の構成要素を制御することによって、電子機器１の動作を統括的に管理する。記憶部１０３は、ＲＯＭ（Read Only Memory）及びＲＡＭ（Random Access Memory）等で構成されている。記憶部１０３には、電子機器１の動作、具体的には電子機器１が備える無線通信部２０、表示部３０等の各構成要素を制御するための制御プログラムであるメインプログラム及び複数のアプリケーションプログラム（以後、単に「アプリケーション」とも呼ぶ）等が記憶されている。制御部１０の各種機能は、ＣＰＵ１０１及びＤＳＰ１０２が記憶部１０３内の各種プログラムを実行することによって実現される。なお図２の例示では、ＣＰＵ１０１およびＤＳＰ１０２がそれぞれ一つ示されているものの、これらは複数設けられてもよい。そして、これらが互いに協働して各種機能を実現してもよい。また、図２の例示では、記憶部１０３は、制御部１０の内部において示されているものの、制御部１０の外部に設けられてもよい。換言すれば、記憶部１０３は制御部１０とは別体であってもよい。また、制御部１０の機能の一部または全部はハードウェアによって実現されても構わない。
【００１７】
無線通信部２０は、アンテナ２１を有している。無線通信部２０は他の電子機器、あるいはインターネットに接続されたウェブサーバ等の通信装置からの信号を、基地局等を介してアンテナ２１で受信する。無線通信部２０は、受信信号に対して増幅処理及びダウンコンバートを行って制御部１０に出力する。制御部１０は、入力された受信信号に対して復調処理等を行う。また無線通信部２０は、制御部１０で生成された送信信号に対してアップコンバート及び増幅処理を行って、処理後の送信信号をアンテナ２１から無線送信する。アンテナ２１からの送信信号は、基地局等を通じて、他の携帯電子機器あるいはインターネットに接続された通信装置で受信される。
【００１８】
表示部３０は、例えば、液晶表示パネルあるいは有機ＥＬ(Electro Luminescence)パネルなどである。表示部３０は、例えば表示画面を示す表示信号を制御部１０から受け取って、これを表示する。言い換えれば、表示部３０は、制御部１０によって制御されることによって、文字、記号、図形または画像などの各種情報を表示する。表示部３０に表示される情報は、電子機器１の前面の表示領域３０ａに表示される。したがって、表示部３０は、表示領域３０ａに表示を行っていると言える。
【００１９】
キー操作部５０は、各操作キー５に対するユーザの押下操作を検出する。キー操作部５０は、各操作キー５について、当該操作キー５が押下されているか否かを検出する。キー操作部５０は、操作キー５が押下されていない場合には、当該操作キー５が操作されていないことを示す未操作信号を制御部１０に出力する。また、キー操作部５０は、操作キー５が押下されると、当該操作キー５が操作されたことを示す操作信号を制御部１０に出力する。これにより、制御部１０は、各操作キー５について、当該操作キー５が操作されているか否かを判断することができる。
【００２０】
制御部１０は、操作キー５が操作されたときに、その操作に応じた種々の処理を実行することができる。例えば制御部１０は通話処理を実行することができる。
【００２１】
第１音声出力部（例えばレシーバ）４２は、例えばダイナミックスピーカで構成されており、制御部１０からの電気的な音信号を音に変換して出力する。第１音声出力部４２から出力される音は、電子機器１の前面に設けられたスピーカ穴４２ａから外部に出力される。ユーザはスピーカ穴４２ａに耳を近づけて、スピーカ穴４２ａから出力される音声を聞き取る。よって、スピーカ穴４２ａから出力される音量は小さく設定される。
【００２２】
第２音声出力部（例えばスピーカ）４４は、例えばダイナミックスピーカであって、制御部１０からの電気的な音信号を音に変換して出力する。第２音声出力部４４から出力される音は、例えば電子機器１の裏面に設けられたスピーカ穴（不図示）から外部に出力される。このスピーカ穴から出力される音が、電子機器１から離れた場所でも聞こえるように、その音量が比較的大きく設定されている。すなわち、第２音声出力部４４からの音量は第１音声出力部４２からの音量よりも大きく設定される。
【００２３】
音声入力部４６は、例えばマイクであって、電子機器１の外部から入力される音を電気的な音信号に変換して制御部１０に出力する。電子機器１の外部からの音は、マイク穴４６ａから電子機器１の内部に取り込まれてマイク４６に入力される。
【００２４】
撮像部６０は例えば第１撮像部６２と第２撮像部６４とを有している。第１撮像部６２は撮像レンズおよび撮像素子などで構成されており、制御部１０による制御に基づいて、静止画像および動画像を撮像する。例えばこの撮像レンズは、電子機器１の前面に設けられており、第１撮像部６２は電子機器１の前面側に存在する物体を撮像することが可能である。
【００２５】
第２撮像部６４は、撮像レンズおよび撮像素子などで構成されており、制御部１０による制御に基づいて、静止画像および動画像を撮像する。この撮像レンズは、例えば電子機器１の裏面に設けられており、第２撮像部６４は、電子機器１の裏面側に存在する物体を撮像することが可能である。
【００２６】
＜通話＞
制御部１０は例えば通話機能を有している。この通話機能は、制御部１０が例えば記憶部１０３に格納された通話アプリケーションを読み出して実行することで、発揮される。もちろん、この通話機能をハードウェアで実行しても構わない。
【００２７】
例えば通話中にユーザが発した音声は、マイク穴４６ａを通ってマイク４６に入力され、マイク４６において音声信号に変換される。この音声信号は制御部１０に出力される。そして制御部１０は、この音声信号を含んだ送信信号を生成し、無線通信部２０を介してこの送信信号を通話相手へと送信する。このとき、無線通信部２０は高調波電圧をアンテナ２１に印加し、アンテナ２１から電波を放射する。この電波が送信信号として無線送信されることとなる。
【００２８】
また制御部１０は通話相手からの受信信号を、無線通信部２０を介して受信する。このときアンテナ２１には、電波に応じた高調波電圧が発生し、この高調波電圧が受信信号として無線通信部２０に入力される。無線通信部２０はこの受信信号に種々の処理を施して、制御部１０へと出力する。制御部１０は受信信号から音声信号を抽出し、これをレシーバ４２へと出力する。レシーバ４２はこの音声信号を音声に変換し、この音声をスピーカ穴４２ａから外部へとする。これにより、ユーザは通話相手と通話を行うことができる。
【００２９】
ユーザが通話を行うときには、スピーカ穴４２ａを耳に当てつつマイク穴４６ａを口元に近づける姿勢（以下、通話姿勢とも呼ぶ）で、電子機器１を把持する。これにより、ユーザが発した音声をマイク４６に入力しやすく、また通話相手からの音声を聞き取りやすい。
【００３０】
ユーザが補聴器を耳に装着しているときには、スピーカ穴４２ａの近傍に補聴器が位置することとなる。
【００３１】
＜アンテナ＞
図３は、アンテナ２１の具体的な構成の一例を概略的に示す図である。アンテナ２１はアンテナ素子２１１とグランドプレーン２１２と延長素子２１３とを備えている。
【００３２】
グランドプレーン２１２は導電性の部材（例えば金属）によって形成される。グランドプレーン２１２は板状の形状を有しており、例えば平面視において略長方形の形状を有している。グランドプレーン２１２は例えば電子機器１と略平行に延在しており、グランドプレーン２１２の長手方向は例えば電子機器１の長手方向と略同じである。このグランドプレーン２１２は、例えば、各種の電子部品（制御部１０など）が実装される所定の基板（不図示）に形成されてもよいし、あるいは、当該基板とは別の金属板によって形成されてもよい。
【００３３】
なおグランドプレーンは、配線（パターン配線を含む）、または、多層基板におけるビアなどを介して、他の電子部品と接続してもよい。グランドプレーンは、これらの電子器部品の接地として機能することができる。
【００３４】
図３の例示では、電子機器１に対するグランドプレーン２１２の相対的な位置を示すべく、スピーカ穴４２ａを二点鎖線で示している。図３に示すように、グランドプレーン２１２は平面視において例えばスピーカ穴４２ａよりも下方に位置している。
【００３５】
アンテナ素子２１１は導電性の部材（例えば金属）によって形成される。アンテナ素子２１１は給電点（不図示）を介してグランドプレーン２１２の端部に電気的に接続されている。図３の例示では、アンテナ素子２１１は給電点を介してグランドプレーン２１２の下方の端部に接続されている。つまり、アンテナ素子２１１は、グランドプレーン２１２のうち、スピーカ穴４２ａから遠い側の端部に、給電点を介して接続されている。図３の例示では、グランドプレーン２１２のうち、給電点を介してアンテナ素子２１１に接続される接続部分を接続部分２１２ａとして示している。
【００３６】
このようなアンテナ２１は、いわゆるモノポールアンテナを形成することができる。アンテナ素子２１１のエレメント長さは、例えばアンテナ２１で送受信する電波の波長の約１／４倍に設定される。グランドプレーン２１２の長手方向の長さは、例えば、当該波長の約１／４倍よりも長く設定される。
【００３７】
アンテナ２１は、給電点に印加される高調波に応じて電波を放射することができ、空間中の電波を取り込んで給電点に高調波を印加することができる。これにより送信および受信を行うことができる。
【００３８】
かかる電波における電界強度は空間的に偏在する。つまり電界強度は空間的に分布を持つ。この電界強度のピークがスピーカ穴４２ａに近くに位置すると、電子機器１のＨＡＣ性能を劣化させる。このようなＨＡＣ性能の劣化は好ましくない。
【００３９】
そこで本実施の形態では、延長素子２１３が設けられている。図３に示すように、この延長素子２１３はグランドプレーン２１２に接続される。延長素子２１３は導電性の部材（例えば金属）によって形成され、例えばグランドプレーン２１２の端部に接触する。この延長素子２１３は、後に詳述するように、アンテナ２１についての電界強度のピークをスピーカ穴４２ａから遠ざける素子である。例えば、電界強度のピークをスピーカ穴４２ａよりも延長素子２１３に近づける。以下に、延長素子２１３の具体的な一例について詳述する。
【００４０】
延長素子２１３は、グランドプレーン２１２の端部のうち、アンテナ素子２１１が接続される端部とは反対側の端部（つまり、アンテナ素子２１１から遠い側の端部）に接続されている。延長素子２１３は例えばグランドプレーン２１２と略平行に延在する板状の形状を有しており、図３の例示では、延長素子２１３は略長方形の形状を有している。延長素子２１３の長手方向は、例えばグランドプレーン２１２の長手方向と略同じである。
【００４１】
延長素子２１３は例えば銅箔によって形成されてもよい。この場合、延長素子２１３は例えば所定の絶縁部材（不図示）の表面に形成され、当該絶縁部材に固定されてもよい。あるいは、延長素子２１３は十分な厚みを持った金属板によって形成されてもよい。
【００４２】
またこの延長素子２１３は、電子機器１の短手方向において、スピーカ穴４２ａと隣り合う位置に設けられていてもよい。この場合、延長素子２１３の短手方向における幅はグランドプレーン２１２の短手方向における幅の半値よりも狭い。また延長素子２１３の当該幅は次の幅よりも広くてもよい。即ち、例えばグランドプレーン２１２に、電子部品からの配線またはビアが接続される場合に、延長素子２１３の幅はその配線またはビアの幅よりも広くてもよい。延長素子２１３の抵抗値が、アンテナ２１に供給される高調波電力に対して小さくなることが望ましいからである。例えば、延長素子２１３の短手方向の幅は数［ｍｍ］であってよい。またグランドプレーン２１２の短手方向の幅は数十［ｍｍ］であってよい。
【００４３】
グランドプレーン２１２に接続される延長素子２１３は、グランドプレーンの一部として機能することができる。つまり、グランドプレーン２１２および延長素子２１３の全体がグランドプレーンとして機能する。
【００４４】
なお図３に例示するように、延長素子２１３はグランドプレーン２１２の中心に対して紙面左側において、グランドプレーン２１２に接続してもよい。またアンテナ素子２１１も、当該中心に対して紙面左側において、給電点を介してグランドプレーン２１２に接続してもよい（接続部分２１２ａ参照）。要するに、延長素子２１３およびアンテナ素子２１１は当該中心に対して同じ側において、それぞれグランドプレーン２１２に接続していてもよい。
【００４５】
グランドプレーン２１２の長手方向の長さは、例えば無線で用いる電波の波長λの約３／５倍未満である。グランドプレーン２１２の長手方向の長さと、延長素子２１３の長手方向の長さとの合計は、例えば当該波長λの１／２倍以上、かつ、３／５倍以下である。ここではグランドプレーン２１２の長さは例えば波長λの１／２倍に略等しく、長さの合計は波長λの３／５倍に略等しい。例えば、波長λが１６．２[ｃｍ]（周波数は１８５０[ＭＨｚ]）であり、エレメント長が４０［ｍｍ］であり、グランドプレーン２１２の長手方向の長さが８５[ｍｍ]であり、延長素子２１３の長さは１１［ｍｍ］である。
【００４６】
図４および図５は、平面視における電界強度分布の一例と、長手方向における電界強度および磁界強度の一例を模式的に示している。図４は、延長素子２１３を有するアンテナ２１についての各強度を示しており、図５は、延長素子２１３を有さないアンテナ２１’についての各強度を示している。アンテナ２１’は延長素子２１３の有無を除いて、アンテナ２１と同じである。
【００４７】
図４および図５では、電界強度分布として、スピーカ穴４２ａの周辺の分布例が示されている。この電界強度分布の領域は、例えば、スピーカ穴４２ａを中心に５［ｃｍ］×５［ｃｍ］の正方形の領域である。これは、ＨＡＣ試験で測定される電界強度分布の領域でもある。なおＨＡＣ試験は、米国連邦通信委員会(Federal Communication Commission, FCC)によって作成されるＣ６３．１９規格に規定されている。
【００４８】
図４および図５では、等高線Ａ１〜Ａ１４によって電界強度分布が示されている。等高線Ａ１〜Ａ１４はこの順で小さくなる。つまり、等高線Ａ１によって示される電界強度は、等高線Ａ２によって示される電界強度よりも大きい。また図４および図５の例示では、電界強度のピークＰ１も示している。
【００４９】
図５のアンテナ２１’では、電界強度のピークＰ１がスピーカ穴４２ａの近傍に位置している。例えばピークＰ１はスピーカ穴４２ａに対して紙面右上に位置している。このように電界強度のピークＰ１がスピーカ穴４２ａに近い場合には、ＨＡＣ性能が劣化する。一方で、図４の例示では、電界強度のピークＰ１がスピーカ穴４２ａよりも延長素子２１３の近くに位置している。例えばピークＰ１は、延長素子２１３の紙面右上の角部に対して紙面右上に位置している。このように図４のピークＰ１が図５に比して延長素子２１３側に移動するのは、延長素子２１３がグランドプレーンの一部として機能するからである。
【００５０】
また、グランドプレーン２１２の長さが波長λの３／５倍未満であり、かつ、グランドプレーン２１２の長さと延長素子２１３の長さとの合計が、波長λの１／２倍以上、３／５倍以下である場合に、電界強度のピークＰ１は延長素子２１３側に移動しやすい。
【００５１】
以上のように、延長素子２１３は、電界強度のピークＰ１をスピーカ穴４２ａから遠ざける。具体的には、電界強度のピークＰ１を、スピーカ穴４２ａよりも延長素子２１３に近くに位置させる。これにより、スピーカ穴４２ａの近傍の電界強度を低減することができる。よって、電子機器１のＨＡＣ性能を向上することができるのである。したがって、ユーザは耳に補聴器を装着した状態で、スピーカ穴４２ａからの音を聞き取り易い。
【００５２】
次に、放射効率についても述べる。ここでいう放射効率は、例えばアンテナ２１に供給される電力に対して、アンテナ２１から放射される放射電力の比である。グランドプレーン２１２の長さと延長素子２１３の長さとの合計が波長λの３／５倍を超える範囲では、放射効率は極小値を有する。具体的には、当該範囲のうち波長λの３／５倍に近い範囲では、当該長さの合計が長くなるほど放射効率は低下する。一方で、グランドプレーン２１２の長さと延長素子２１３の長さとの合計が波長λの１／２倍以上であり、３／５倍以下である場合、放射効率が高くなることが、出願人によって確認されている。つまり、当該長さの合計を波長λの１／２倍以上であり、３／５倍以下に設定することで、放射効率を向上することができるのである。
【００５３】
＜延在素子の位置＞
延長素子２１３を、短手方向において、グランドプレーン２１２の中心に対して接続部分２１２ａとは反対側に設けることを想定する。図６はこのようなアンテナ２１の一例を概略的に示す図である。図６の例示では、接続部分２１２ａは紙面左側に位置し、延長素子２１３は紙面右側においてグランドプレーン２１２に接続されている。
【００５４】
この場合の電界強度のピークは、図４の電界強度のピークＰ１に比して、長手方向において、グランドプレーン２１２に近くに位置する。これは次の理由によると考察される。即ち、電界強度のピークＰ１の位置は、グランドプレーン２１２の接続部分２１２ａからの距離に影響される。よって、電界強度のピークＰ１は接続部分２１２ａから同距離となる点の集合上に、位置しやすいと考えることができる。
【００５５】
図４の例示では、接続部分２１２ａと延長素子２１３が短手方向において同じ側に位置しているので、接続部分２１２ａから略長手方向に沿った距離に基づいて、電界強度のピークＰの位置が決まると考えることができる。他方、図６の例示では、接続部分２１２ａと延長素子２１３が短手方向において反対側に位置するので、接続部分２１２ａから紙面右上方向に沿った距離に基づいて、電界強度のピークＰ１の位置が決まると考えることができる。よって、図６の例示では、電界強度のピークＰ１は長手方向においてグランドプレーン２１２に近く位置することとなる。
【００５６】
このように電界強度のピークＰ１がグランドプレーン２１２に近づくと、スピーカ穴２４ａにも近くなる。したがって、電界強度のピークＰ１をスピーカ穴２４ａから遠ざけるという観点では、アンテナ素子２１１と延長素子２１３とは、短手方向の同じ側において、それぞれグランドプレーン２１２に接続されるとよい。つまりアンテナ素子２１１と延長素子２１３とは、長手方向において、グランドプレーン２１３の中心に対して互いに反対側、かつ、長手方向に垂直な短手方向において、当該中心に対して同じ側において、それぞれグランドプレーン２１３に接続するとよい。
【００５７】
＜圧電振動素子＞
上述の例では、電界強度のピークＰ１をスピーカ穴４２ａから遠ざけている。これは、ユーザの耳がスピーカ穴４２ａに近づけられることから、補聴器もスピーカ穴４２ａに位置すると想定されているからである。要するに、ＨＡＣ性能を向上するには、電界強度のピークＰ１を、電子機器１のうち耳が当接される部分（以下、当接部分と呼ぶ）から、遠ざければよい。換言すれば、延長素子２１３が、電界強度のピークＰ１を当接部分から遠ざければよい。
【００５８】
ところで、スピーカ穴４２ａが設けられない電子機器１も存在する。例えば第１音声出力部４２は圧電振動素子によって構成される。この圧電振動素子は、制御部１０によって制御されて振動することで、筐体２の前面側の部分（例えばカバーパネル２ａ）を振動させる。制御部１０が音声信号に基づいて圧電振動素子を振動させることで、筐体２の前面側の部分から音声を出力する。例えばユーザが筐体２の前面側の部分に耳を当てることで、当該振動がユーザの耳に伝達されて、これが音声として聞き取られる。
【００５９】
このような場合、例えば平面視における圧電振動素子の位置を、耳が当接される当接部分と把握することができる。よってこの場合、延長素子２１３は、電界強度のピークを圧電振動素子（第１音声出力部４２）から遠ざければよい。
【００６０】
あるいは、カバーパネル２ａのうち、圧電振動素子によって最も振動する部分を、耳が当接される当接部分と把握することもできる。この場合、延長素子２１３は、電界強度のピークを当該部分から遠ざければよい。
【００６１】
以上のように、電子機器は詳細に説明されたが、上記した説明は、すべての局面において、例示であって、本電子機器がそれに限定されるものではない。例示されていない無数の変形例が、本電子機器の範囲から外れることなく想定され得る。
【符号の説明】
【００６２】
１  電子機器
２  筐体
２１  アンテナ
４２  第１音声出力部
２１１  アンテナ素子
２１２  グランドプレーン
２１３  延長素子
【図１】
2017085334.tif 000003
【図２】
2017085334.tif 000004
【図３】
2017085334.tif 000005
【図４】
2017085334.tif 000006
【図５】
2017085334.tif 000007
【図６】
2017085334.tif 000008